(57)【要約】【課題】イオン発生器を取り外すことなくイオン発生素子を容易に清掃することができるイオン発生装置を提供すること。【解決手段】空気を吸込む吸込口２、該吸込口２から吸込まれた空気が通過する通風経路３、及び、該通風経路３の終端に設けられ、吸込んだ空気と放電現象により発生されるイオンとを放出する放出口４を備えるハウジング１を備えるイオン発生装置１００において、放電現象によりイオンを発生させる電極を備えるイオン発生面を有し、前記通風経路３の壁にイオン発生面の向きを変更可能に取り付けられたイオン発生器１２を備える。【選択図】図１
2012114042.tif 000002
【特許請求の範囲】
【請求項１】
空気を吸込む吸込口、該吸込口から吸込まれた空気が通過する通風経路、及び、該通風経路の終端に設けられ、吸込んだ空気と放電現象により発生されるイオンとを放出する放出口を備えるハウジングを備えるイオン発生装置において、
放電現象によりイオンを発生させる電極を備えるイオン発生面を有し、前記通風経路の壁にイオン発生面の向きを変更可能に取り付けられたイオン発生器を備えることを特徴とするイオン発生装置。
【請求項２】
前記イオン発生器は、通風方向に交差する方向の軸周りに回動可能に取り付けられていることを特徴とする請求項１記載のイオン発生装置。
【請求項３】
前記イオン発生器を回動させる回動手段を備えることを特徴とする請求項２記載のイオン発生装置。
【請求項４】
前記放出口に着脱自在に取り付けられている蓋部と、
前記放出口における前記蓋部の有無を検出する検出手段と
を備え、
前記蓋部が前記放出口に無いことを前記検出手段が検出した場合に、前記イオン発生器はイオン発生動作を停止するように構成してあることを特徴とする請求項３記載のイオン発生装置。
【請求項５】
前記蓋部が前記放出口に無いことを前記検出手段が検出した場合に、前記回動手段は、前記イオン発生面が前記放出口の方向を向くように前記イオン発生器の向きを変更させるように構成してあることを特徴とする請求項４記載のイオン発生装置。
【請求項６】
前記蓋部の一部を覆うことにより前記放出口から前記蓋部を取り外せないように固定するロック位置と前記蓋部を取り外し可能にするアンロック位置とに移動可能な蓋ロック手段を備え、
前記イオン発生器がイオン発生動作している場合に、前記蓋ロック手段は、前記ロック位置にあるように構成してあることを特徴とする請求項４又は５記載のイオン発生装置。
【請求項７】
前記通風経路の壁に、前記放出口の方向を向くイオン発生面を照射するように取り付けられ、前記イオン発生面が前記放出口の方向を向く場合に点灯する照明手段を備えることを特徴とする請求項１から６の何れか一項に記載のイオン発生装置。
【請求項８】
前記イオン発生器の動作時間を計時する計時装置と、
前記計時装置が計時した動作時間の累積が所定の時間を超えた場合に、所定の表示をする表示手段と
を備えることを特徴とする請求項１又は２記載のイオン発生装置。
【請求項９】
前記通風経路に設けられ、前記通風経路を通過する空気中のイオン濃度を測定するイオンセンサと、
前記イオンセンサによるイオン濃度が所定の値以下の場合に、所定の表示をする表示手段と
を備えることを特徴とする請求項１又は２記載のイオン発生装置。
【請求項１０】
前記イオン発生器を回動させる回動手段を備え、
前記表示手段が所定の表示をしている場合に、
前記イオン発生器はイオン発生動作を停止し、
前記回動手段は、前記イオン発生面が前記放出口の方向を向くように前記イオン発生器の向きを変更させるように構成してあることを特徴とする請求項８又は９記載のイオン発生装置。
【発明の詳細な説明】
【技術分野】
【０００１】
本発明は、イオン発生装置に関し、特に通風経路の放出口近傍の壁面に設置されるイオン発生装置に関する。
【背景技術】
【０００２】
従来、イオンにより居住空間内の空気を清浄化するイオン発生装置は、装置内部の通風経路にプラスイオンとマイナスイオンとを発生するイオン発生器を設け、発生したイオンを空気とともに放出するようにしてある。イオン発生装置の外に放出されたイオンは、居住空間の浮遊細菌を不活性化し死滅させ、臭気成分を変性させる。これにより、居住空間の空気が清浄化される。
【０００３】
イオン発生器は、イオン発生素子、イオン発生素子に高電圧を供給する高圧トランス、及び、高圧トランスを駆動する高圧トランス駆動回路とを備える。
【０００４】
イオン発生素子には、針形状の金属を放電電極とし、金属板やグリッド等の誘電電極を対向させて配置したもの（例えば、特許文献１参照。）と、誘電電極を配置せず大地を対向電極とするものとがある。絶縁体は、放電電極と誘電電極又は対向電極との間の空気である。イオン発生素子の放電電極に高電圧を印加して、電極の鋭角をなす先端で電界集中を生じさせ、電極の先端に近い部分の空気を絶縁破壊させて、コロナ放電を発生させることにより、イオンが発生する。
【０００５】
イオン発生器は、運転時に高電圧が印加されるため、外部から容易に触れることができないようにイオン発生装置の内部に配置して安全性を高めている。
【先行技術文献】
【特許文献】
【０００６】
【特許文献１】特開２００５−１３６４９号公報
【発明の概要】
【発明が解決しようとする課題】
【０００７】
放電現象によりイオンを発生させるイオン発生装置を長期間使用していると、空気に含まれている埃等の汚れ物質が電極に付着し、やがて、放電面が汚れ物質により覆われてしまう。放電面に汚れ物質が付着すると、イオン発生のためのコロナ放電が妨げられ、イオン発生効率が低下する虞がある。そこで、イオンを発生するための電極をブラシ等の清掃具により清掃し付着した汚れ物質を取り除く必要がある。
【０００８】
しかしながら、イオン発生素子は、外部から容易に触れることができないように配置されているため、メンテナンスを行い難いことが多い。そこで、清掃の際にイオン発生器を取り外すことができる構造にすると、部品点数の増加することがあり、また、取り外されたイオン発生器に落下等の衝撃が加えられた場合に、破損や故障が生じる虞がある。
【０００９】
本発明は斯かる事情に鑑みてなされたものであり、イオン発生器を取り外すことなくイオン発生素子を容易に清掃することができるイオン発生装置を提供することを目的とする。
【課題を解決するための手段】
【００１０】
本発明に係るイオン発生装置は、空気を吸込む吸込口、該吸込口から吸込まれた空気が通過する通風経路、及び、該通風経路の終端に設けられ、吸込んだ空気と放電現象により発生されるイオンとを放出する放出口を備えるハウジングを備えるイオン発生装置において、放電現象によりイオンを発生させる電極を備えるイオン発生面を有し、前記通風経路の壁にイオン発生面の向きを変更可能に取り付けられたイオン発生器を備えることを特徴とする。
【００１１】
本発明にあっては、イオン発生器を取り外すことなくイオン発生素子を容易に清掃することができる。
【００１２】
また、本発明に係るイオン発生装置は、前記イオン発生器が、通風方向に交差する方向の軸周りに回動可能に取り付けられていることを特徴とする。
【００１３】
本発明にあっては、イオン発生器を回動することによりイオン発生面の向きを変更するので、少ない部品数でイオン発生面の向きを変更する構成を実現することができる。
【００１４】
また、本発明に係るイオン発生装置は、前記イオン発生器を回動させる回動手段を備えることを特徴とする。
【００１５】
本発明にあっては、イオン発生器の回動を人手によらずに実行するので、利便性を向上することができる。
【００１６】
また、本発明に係るイオン発生装置は、前記放出口に着脱自在に取り付けられている蓋部と、前記放出口における前記蓋部の有無を検出する検出手段とを備え、前記蓋部が前記放出口に無いことを前記検出手段が検出した場合に、前記イオン発生器はイオン発生動作を停止するように構成してあることを特徴とする。
【００１７】
本発明にあっては、放出口に蓋部が無い場合に、高電圧の印加を伴うイオン発生動作を停止するので、イオン発生動作中に、誤って人の手や異物が通風経路に入ることを防止することができる。
【００１８】
また、本発明に係るイオン発生装置は、前記蓋部が前記放出口に無いことを前記検出手段が検出した場合に、前記回動手段は、前記イオン発生面が前記放出口の方向を向くように前記イオン発生器の向きを変更させるように構成してあることを特徴とする。
【００１９】
本発明にあっては、操作者が蓋部を放出口から取り除いた際に、イオン発生器が、イオン発生動作を停止して放出口の方向を向くので、操作者が通風経路の内部にあるイオン発生器を確認することが容易になる。
【００２０】
また、本発明に係るイオン発生装置は、前記蓋部の一部を覆うことにより前記放出口から前記蓋部を取り外せないように固定するロック位置と前記蓋部を取り外し可能にするアンロック位置とに移動可能な蓋ロック手段を備え、前記イオン発生器がイオン発生動作している場合に、前記蓋ロック手段は、前記ロック位置にあるように構成してあることを特徴とする。
【００２１】
本発明にあっては、イオン発生器がイオン発生動作している場合に、蓋ロック手段が蓋部を取り外せないように固定するので、イオン発生動作中に、誤って人の手や異物が通風経路に入ることを防止することができる。
【００２２】
また、本発明に係るイオン発生装置は、前記通風経路の壁に、前記放出口の方向を向くイオン発生面を照射するように取り付けられ、前記イオン発生面が前記放出口の方向を向く場合に点灯する照明手段を備えることを特徴とする。
【００２３】
本発明にあっては、イオン発生面が放出口の方向を向く場合に、照明手段がイオン発生面を照射するので、放出口の方向からイオン発生面を確認することが容易になる。
【００２４】
また、本発明に係るイオン発生装置は、前記イオン発生器の動作時間を計時する計時装置と、前記計時装置が計時した動作時間の累積が所定の時間を超えた場合に、所定の表示をする表示手段とを備えることを特徴とする。
【００２５】
本発明にあっては、イオン発生器の動作時間の累計が所定の時間を超えたことを操作者に通知することができるので、利便性を向上することができる。
【００２６】
また、本発明に係るイオン発生装置は、前記通風経路に設けられ、前記通風経路を通過する空気中のイオン濃度を測定するイオンセンサと、前記イオンセンサによるイオン濃度が所定の値以下の場合に、所定の表示をする表示手段とを備えることを特徴とする。
【００２７】
本発明にあっては、通風経路を通過する空気中のイオン濃度が所定の値以下であることを操作者に通知することができるので、利便性を向上することができる。
【００２８】
また、本発明に係るイオン発生装置は、前記イオン発生器を回動させる回動手段を備え、前記表示手段が所定の表示をしている場合に、前記イオン発生器はイオン発生動作を停止し、前記回動手段は、前記イオン発生面が前記放出口の方向を向くように前記イオン発生器の向きを変更させるように構成してあることを特徴とする。
【００２９】
本発明にあっては、表示手段が所定の表示をしている場合に、イオン発生器がイオン発生動作を停止してイオン発生面が放出口の方向を向くので、イオン発生器が所定の状態の時に、操作者が、イオン発生器を放出口の方向から確認する際にイオン発生面の向きを変更する手間を省くことができる。
【発明の効果】
【００３０】
本発明によれば、イオン発生器を取り外すことなくイオン発生素子を容易に清掃することができるイオン発生装置を提供することができる。
【図面の簡単な説明】
【００３１】
【図１】第１の実施の形態に係るイオン発生装置を側面から見た断面図である。
【図２】第１の実施の形態に係るイオン発生装置が備えるコントローラと、コントローラに接続される各部との関係を説明するブロック図である。
【図３】イオン発生器の平面図である。
【図４】イオン発生器の斜視図である。
【図５】放出口から蓋が取り外されている状態を説明する図である。
【図６】第２の実施の形態に係るイオン発生装置を側面から見た断面図である。
【図７】第２の実施の形態に係るイオン発生装置が備えるコントローラと、コントローラに接続される各部との関係を説明するブロック図である。
【発明を実施するための形態】
【００３２】
(第１の実施の形態)
以下、本発明の実施の形態を図面に基づいて詳述する。図１は、本実施の形態に係るイオン発生装置１００を側面から見た断面図である。図２は、本実施の形態に係るイオン発生装置が備えるコントローラと、コントローラに接続される各部との関係を説明するブロック図である。本実施の形態に係るイオン発生装置１００は、吸気した空気にイオンを付加し外部に放出する。
【００３３】
イオン発生装置１００は、ハウジング１、パネル１０、塵除去フィルタ２ａ、蓋５、蓋検出センサ６、送風機７、イオン発生器１２、イオン発生器移動手段１３、照明装置１５、蓋ロック手段１６、表示手段１７、操作パネル１８、及び、コントローラ３０を備える。
【００３４】
ハウジング１は、全体として略直方体をなしている。イオン発生装置１００は、運転時には、床等の平面にハウジング１を垂直に立てるように載置して使用される。ハウジング１は、吸込口２、通風経路３、放出口４、及び、モータ固定部１１を備える。
【００３５】
吸込口２は、ハウジング１の背面下部に設けられた略正方形をなす開口であり、一体的に設けられた格子面を有する。吸込口２に対向してパネル１０が、ハウジング１に着脱可能に取り付けられている。パネル１０は、吸込口２とほぼ等しい大きさの格子状をなす開口を有する。塵除去フィルタ２ａは、吸込口２及びパネル１０の開口部よりもやや大きく、吸込口２とパネル１０とに挟持されている。
【００３６】
放出口４は、ハウジング１の上面に形成されている開口である。放出口４を塞ぐように、蓋５がハウジング１に着脱可能に取り付けられている。蓋５は、格子状をなしている。蓋５は、放出口４から通風経路３に異物が入ること、及び、運転中にユーザが手を入れることを防ぐために設けられている。
【００３７】
通風経路３は、吸込口２と放出口４とを連通するように、ハウジング１の内部に一体的に設けられている。
【００３８】
ハウジング１内部の通風経路３の外側にモータ固定部１１が固定してあり、後述する送風機７が備えるファンモータ９をハウジング１内部に固定するようになしてある。
【００３９】
送風機７は、ハウジング１の内部に取り付けられている。送風機７は、ファン８、及び、ファンモータ９を備える。ファンモータ９は、ハウジング１内部に通風経路３の外側にモータ固定部１１により取り付けられ、ファン８を回転させるモータ軸がハウジング１の内壁面から通風経路３に突き出している。通風経路３に突き出したモータ軸に取り付けられているファン８は、吸込口２に対向している。
【００４０】
ファンモータ９が駆動してファン８が回転することにより、吸込口２から空気が吸い込まれる。吸い込まれる空気は、塵除去フィルタ２ａにより、含まれている塵が除去され、通風経路３を通過する。通風経路３を通過した空気は、放出口４からイオン発生装置１００の外部に放出される。なお、図１に示す矢印は、吸込口２から通風経路３を通って放出口４から排出される空気の流れ方向を示す。
【００４１】
イオン発生器１２は、通風経路３を構成するハウジング１の内壁面に取り付けられている。イオン発生器１２の通風方向における位置は、ファン８よりも後方であり、放出口４の若干前方である。
【００４２】
イオン発生器１２は、コロナ放電によりイオンを放出する。図３は、イオン発生器１２の平面図、図４は、イオン発生器１２の斜視図である。イオン発生器１２は、ケーシング２４とケース蓋２３とからなる外殻を有している。ケーシング２４は、一方が開口した略直方体をなしている。ケーシング２４の開口側は、ケース蓋２３が取り付けられている。ケース蓋２３は、板状をなし、大きさが等しい２つの貫通孔が設けられている。
【００４３】
ケーシング２４は、内部に、２つのイオン発生部２１、２２、及び、図示しない給電部を備える。イオン発生部２１は、放電電極２１ａ、及び、誘電電極環２１ｂを備え、イオン発生部２２は、放電電極２２ａ、及び、誘電電極環２２ｂを備える。
【００４４】
放電電極２１ａは、針状をなす電極である。誘電電極環２１ｂは、環状の電極である。放電電極２１ａは、ケース蓋２３の一つの貫通孔と軸心が一致するように配置され、誘電電極環２１ｂは、ケーシング２４内に、貫通孔の外側を囲うように放電電極２１ａ及び貫通孔と軸心を一致させて配置されている。同様に、誘電電極環２２ｂ及び放電電極２２ａも、他の貫通孔と軸心が一致するように配置されている。なお、放電電極２１ａ、２２ａに垂直な平面を、イオン発生面という。
【００４５】
図示しない給電部から、放電電極２１ａ、２２ａ、及び、誘電電極環２１ｂ、２２ｂに電圧を供給することにより、イオンが発生する。イオン発生部２１とイオン発生部２２とは、互いに極性の異なるイオンを発生する。より詳細には、イオン発生部２１には、正電圧が印加され、放電によるプラズマ領域で空気中の水分子が電気的に分解して、主として水素イオンＨ+ が生成される。水素イオンＨ+ の周りに空気中の水分子が凝集し、正のクラスターイオンＨ+ （Ｈ2 Ｏ）m が形成される。ここで、ｍは任意の自然数である。
【００４６】
他方のイオン発生部２２には、負電圧が印加され、放電によるプラズマ領域で空気中の水分子が電気的に分解して、主として酸素イオンＯ2-が生成される。酸素イオンＯ2-の周りに空気中の水分子が凝集し、負のクラスターイオンＯ2-（Ｈ2 Ｏ）n が形成される。ここで、ｎは０又は任意の自然数である。
【００４７】
イオン発生部２１とイオン発生部２２とは、発生するイオンの極性を、所定時間毎に切り替えてもよい。
【００４８】
図１に戻り、イオン発生器１２は、通風経路３内に、通風方向に交差する方向に回動軸を有して回動可能に取り付けられている。図１では、イオン発生面が通風経路３内の通風方向に平行をなし、ケース蓋２３の２つの貫通孔が、通風経路３内の通風方向に対して垂直な方向に並んでいる。
【００４９】
イオン発生器移動手段１３は、ケーシング２４の底に近い側面を支持し、イオン発生器１２を回動可能にハウジング１の内壁に取り付けている。イオン発生器移動手段１３は、回動軸、ステッピングモータ、ギア、及び、アイドルギアを備える。
【００５０】
回動軸は、通風経路３の外側から通風経路３の内側に、通風方向に交差するように突き出し、一端がイオン発生器１２の側面下部に取り付けられ、イオン発生器１２を、軸周りに回動可能にしている。
【００５１】
ギア、アイドルギア、及び、ステッピングモータは、通風経路３の外側に設けられている。ギアは、ステッピングモータによる回転力を回動軸に伝え、アイドルギアは、ステッピングモータによる回転力を減速させるために設けられている。ステッピングモータの回転力をアイドルギアが減速させた後にギアに伝わり、さらに回動軸に伝えられる。これにより、回動軸が回転されてイオン発生器１２が回動され、イオン発生器１２の位置が、イオン発生面が通風経路３の通風方向に対して略平行をなす運転位置から、イオン発生面が放出口４の方向を向く清掃位置へと変更される。
【００５２】
照明装置１５は、通風経路３を構成する内壁に、イオン発生器１２に対向する位置よりもやや上方放出口４よりに取り付けられている。照明装置１５は、コントローラ３０の制御により点灯及び消灯される。照明装置１５は、イオン発生器１２が清掃位置の場合に、ケース蓋２３を照らすようになしてある。これにより、操作者が、イオン発生面が備える放電電極２１ａ、２２ａ、及び、誘電電極環２１ｂ、２２ｂの汚れを容易に視認することができ、これらの電極及びケース蓋２３付近の清掃が容易になる。照明装置１５は、例えば、白色ＬＥＤを用いるとよい。白色ＬＥＤを用いることにより、操作者がイオン発生面を確認する際の視認性の向上を、低消費電力により実現することができる。
【００５３】
蓋検出センサ６は、ハウジング１の放出口４付近の内壁に、放出口４に取り付けられている蓋５と接するように取り付けてある。蓋検出センサ６は、放出口４に蓋５が取り付けられているか否かを検出する。蓋検出センサ６は、検出信号を、コントローラ３０に出力する。
【００５４】
蓋検出センサ６は、例えば、タクティクルスイッチである。蓋５が放出口４に取り付けられている場合には、タクティクルスイッチが押された状態になり、蓋５が放出口４から取り外されている場合には、タクティクルスイッチは、開放状態になる。これにより、蓋５が放出口４から取り外されていることを検出することができる。
【００５５】
蓋ロック手段１６は、蓋５よりも放出口４の外側の放出口４の縁から、蓋５の縁を覆うように張り出し、ハウジング１ａに少なくとも一部が収容可能に取り付けられている。蓋ロック手段１６は、蓋５の縁を覆うように張り出し蓋５を放出口４から取り外すことをできなくするロック位置と、ハウジング１の内部に収容され蓋５を放出口４から取り外すことが可能なアンロック位置と、に移動可能である。蓋５の位置は、コントローラ３０により制御される。
【００５６】
表示手段１７は、イオン発生器１２の電極が清掃時期である旨の表示を行う。表示手段１７は、例えば、操作パネルに設けられているＬＥＤであり、点灯、点滅、又は、消灯により、清掃時期である旨の表示を行う。例えば、清掃時期の場合は点灯し、その他の場合は消灯する。表示手段１７による表示は、コントローラ３０により制御される。
【００５７】
操作パネル１８は、操作者から入力される指示の入力を受け付け、コントローラ３０に出力する。操作パネル１８は、例えば、運転開始及び停止を入力する運転スイッチ、及び、運転時間の累計を計時する際に、累計値をリセットして０とすることを入力する清掃リセットスイッチを備えている。
【００５８】
図２に示すコントローラ３０は、例えば、ハウジング１の内部に配置されている。コントローラ３０には、蓋検出センサ６、送風機７、イオン発生器１２、イオン発生器移動手段１３、照明装置１５、蓋ロック手段１６、表示手段１７、及び、操作パネル１８が接続されている。
【００５９】
コントローラ３０は、制御部３１、及び、計時装置３２を備える。制御部３１は、コントローラ３０に接続される各部の制御を行う。制御部３１は、蓋検出センサ６、送風機７、イオン発生器１２、イオン発生器移動手段１３、照明装置１５、蓋ロック手段１６、表示手段１７、及び、操作パネル１８との、それぞれとのインタフェース機能を有し、これら各部との通信を行い、制御信号を出力し、各部から出力される情報の信号を受信する。
【００６０】
より詳細には、制御部３１は、送風機７及びイオン発生器１２に対して運転開始及び停止の制御信号を出力する。制御部３１は、イオン発生器移動手段１３に対して、イオン発生器１２を運転位置及び清掃位置に移動させる制御信号を出力する。制御部３１は、照明装置１５に対して、点灯及び消灯の制御信号を出力する。制御部３１は、蓋５が放出口４に取り付けられているか否かの信号を蓋検出センサ６から受信する。制御部３１は、蓋ロック手段１６に対して、ロック位置及びアンロック位置に移動する制御信号を出力する。
【００６１】
制御部３１は、表示手段１７に対して清掃時期である旨の表示を行う制御信号を出力する。より詳細には、表示手段１７がＬＥＤである場合には、清掃時期であるときに点灯させ、清掃時期ではないときに消灯させる。制御部３１は、操作者が操作パネル１８を操作することにより入力される指示の信号を受信する。
【００６２】
計時装置３２は、イオン発生器１２の運転時間を計時する。より詳細には、イオン発生器１２が清掃された時からの累計運転時間を計時する。イオン発生器１２が清掃された時とは、例えば、蓋５が取り外された後に再び取り付けられた時とするとよい。イオン発生器１２が清掃された時は、また、操作パネル１８の清掃リセットスイッチが押下られた時としてもよい。計時装置３２は、例えば、コントローラ３０がＣＰＵとして構成される場合の、ＣＰＵの計時機能である。計時装置３２は、また例えば、コントローラ３０がコントローラボードとして構成される場合にＣＰＵである制御部３０に接続されるクロック素子である。
【００６３】
以上のように構成したイオン発生装置１００の運転中の動作と、イオン発生器１２の清掃が行われる際の動作とを、以下説明する。
【００６４】
（イオン発生装置１００のイオン発生動作及びイオン発生器１２の清掃を開始する際の動作）
図１に示すように蓋５が放出口４に取り付けられている場合に、操作者が操作パネル１８から運転スイッチを押すことにより運転指示の信号を入力する。運転指示の信号が制御部３１に伝えられると、制御部３１は、蓋５が放出口４に取り付けられている旨の情報を、蓋検出センサ６からの信号により取得し、送風機７のファンモータ９を駆動させてファン８を回転させ、イオン発生器１２からイオンを発生させる。
【００６５】
ファン８が回転することにより、塵除去フィルタ２ａにより塵を除去された空気が、吸込口２から通風経路３に取り込まれ、通風経路３内を放出口４の方向に移動する。イオン発生器１２は、イオン発生面が通風方向と略平行をなしている。イオン発生器１２が発生するイオンは、通風経路３内を移動する空気とともに、放出口４からイオン発生装置１００の上方に放出される。
【００６６】
イオン発生器１２の電極を清掃する場合には、操作者が、操作パネル１８の運転スイッチを押して運転停止を入力する。運転停止の信号が制御部３１に伝えられると、制御部３１は、イオン発生装置１００の運転を停止させる。操作者は、運転停止を確認した後に、蓋５を取り外す。図５は、蓋５が取り外された場合のイオン発生器１２の位置を示す図である。蓋５が取り外されたことを蓋検出センサ６が検出し、制御部３１に蓋５が取り外された旨の信号を出力する。この信号を受信した後に、制御部３１は、イオン発生器移動手段１３を制御してイオン発生器１２を回動させ、図５に示すようにイオン発生面が放出口４の方向を向く清掃位置に移動させる。制御部３１は、さらに、照明装置１５を点灯させる。これにより、照明装置１５がケース蓋２３付近を照らす。以上の動作により、操作者が電極を含むケース蓋２３の付近を清掃することが容易になる。
【００６７】
なお、イオン発生器１２がイオン発生動作中に、操作者が蓋５を取り外した場合には、蓋検出センサ６が、制御部３１に運転中に蓋５が取り外された旨の情報の信号を出力し、制御部３１が、ファンモータ９の駆動、及び、イオン発生器１２からのイオン発生を停止させる。制御部３１は、さらに、イオン発生器移動手段１３を制御してイオン発生器１２を回動させ、イオン発生器１２を運転位置から清掃位置に移動し、照明装置１５を点灯させる。
【００６８】
イオン発生器１２がイオンを発生する際には、高電圧が印加されているため、蓋５の取り外しとイオン発生器１２のイオンを発生する動作の停止とを連動させることにより、安全性を高めることができる。
【００６９】
（計時によるイオン発生器の清掃時期の表示制御）
イオン発生器１２のイオン発生動作中に、計時装置３２は、動作時間を計時し、動作時間に係る情報を制御部３１に出力する。制御部３１は、計時装置３２が出力する動作時間に係る情報を取得して、直前のイオン発生器１２の清掃をした時点からの動作時間の累計を取得する。動作時間の累計が所定の時間を超える場合に、制御部３１は、清掃時期が到達したと判断し、消灯している表示手段１７を点灯させる。
【００７０】
以上の動作により、表示手段１７に表示がなされた場合に、操作者が、イオン発生器１２の電極に汚れが付着している可能性が高い時期であり、清掃することが望ましい時期であることを知ることができる。
【００７１】
制御部３１は、さらに、清掃時期が到達している場合に、イオン発生器１２及び送風機７の運転を停止させ、イオン発生器移動手段１３を制御して、イオン発生器１２を清掃位置に移動させてもよい。制御部３１は、さらに、蓋ロック手段１６がロック位置にある場合には、蓋ロック手段１６をアンロック位置に移動するように制御して、蓋５を取り外し可能にしてもよい。
【００７２】
なお、操作者による清掃が行われた後は、制御部３１は、動作時間の累計値をリセットし、新たに動作時間の累計を取得し始める。リセットは、蓋５が取り外された後に再び取り付けられた時に、又は、操作者が図示しないパネル等に設けられているスイッチを押下した時に、制御部３１が行うとよい。
【００７３】
以上の実施の形態では、コントローラ３０が、蓋検出センサ６からの検出結果の信号に基づいて、各部の制御を行うが、蓋検出センサ６がスイッチとして構成されることにより、コントローラ３０を介さずに各部が動作を開始又は停止してもよい。
【００７４】
(第２の実施の形態)
図６は、第２の実施の形態に係るイオン発生装置を側面から見た断面図である。図７は、第２の実施の形態に係るイオン発生装置が備えるコントローラと、コントローラに接続される各部との関係を説明するブロック図である。第２の実施の形態に係るイオン発生装置１００ａは、ハウジング１ａ、パネル１０、塵除去フィルタ２ａ、蓋５、蓋検出センサ６、送風機７、イオン発生器１２、イオン発生器移動手段１３、イオンセンサ１４、照明装置１５、蓋ロック手段１６、表示手段１７、及び、操作パネル１８を備える。図６、及び、図７において、第１の実施の形態と同一の機能及び構成を有する各部は、同一の符号を付し、ここでは、説明を省略する。
【００７５】
ハウジング１ａは、第１の実施の形態に係るイオン発生装置１００ａの構成に加えて、通風経路３内にイオンセンサ１４を備える。イオンセンサ１４は、通風経路３を構成するハウジング１ａの内壁に、イオン発生器１２よりも通風方向の下流側に取り付けられている。図６では、イオンセンサ１４が取り付けられている例を示している。イオンセンサ１４は、通風経路３を通風する空気中のイオン発生器１２が発生するイオンの濃度を検出する。
【００７６】
図７に示すコントローラ３０ａは、例えば、ハウジング１ａの前面の内側に又は上面の下内側に配置されている。コントローラ３０ａには、蓋検出センサ６、送風機７、イオン発生器１２、イオン発生器移動手段１３、照明装置１５、イオンセンサ１４、蓋ロック手段１６、表示手段１７、及び、操作パネル１８が接続されている。これらの各部のうち、既に説明した各部の機能については、ここでは説明を省略する。
【００７７】
コントローラ３０ａは、制御部３１ａ、及び、計時装置３２を備える。制御部３１ａは、コントローラ３０ａに接続される各部の制御を行う。制御部３１ａは、蓋検出センサ６、送風機７、イオン発生器１２、イオン発生器移動手段１３、イオンセンサ１４、照明装置１５、蓋ロック手段１６、表示手段１７、及び、操作パネル１８の、それぞれとのインタフェース機能を有し、これら各部との通信を行い、制御信号を出力し、各部から出力される情報の信号を受信する。
【００７８】
制御部３１ａは、第１の実施の形態における動作に加えて、イオンセンサ１４が検出するイオン濃度を取得する。
【００７９】
計時装置３２は、イオン発生装置１００ａの運転時間を計時する。より詳細には、イオン発生器１２が清掃された時からの累計運転時間を計時する。イオン発生器１２が清掃された時とは、例えば、蓋５が取り外された時とするとよい。イオン発生器１２が清掃された時は、また、操作パネル１８の清掃リセットスイッチが押下された時としてもよい。
【００８０】
以上のように構成したイオン発生装置１００ａの運転中の動作と、イオン発生器の清掃が行われる際の動作とを、以下説明する。
【００８１】
（イオン濃度によるイオン発生器の清掃時期の表示制御）
イオン発生装置１００ａの運転中に、制御部３１ａは、所定時間毎にイオンセンサ１４によるイオン濃度を取得する。所定時間は、例えば３時間である。取得したイオン濃度が所定の値以下である場合には、制御部３１ａは、イオン発生器１２の放電電極２１ａ、２２ａに付着物が付き、清掃時期であると判断し、消灯している表示手段１７を点灯させる。
【００８２】
以上の動作により、操作者が、イオン発生器１２の電極に汚れが付着し、清掃することが望ましい状態であることを知ることができる。
【００８３】
制御部３１ａは、さらに、イオン発生器１２及び送風機７に対して運転を停止させる制御信号を出力し、イオン発生器移動手段１３を制御して、イオン発生器１２のイオン発生面が清掃位置になるようにイオン発生器１２の向きを変化させてもよい。制御部３１ａは、さらに、蓋５を取り外すことができないように蓋ロック手段１６が配置されている場合には、蓋ロック手段１６の配置を変更するように制御して、蓋５を取り外し可能にしてもよい。
【００８４】
なお、本発明の実施の形態は、上記の例に限らない。高電圧を印加するイオン発生器の清掃が必要なイオン発生装置であればよい。
【００８５】
以上、発明を実施するための形態について説明を行ったが、本発明は、この発明を実施するための形態で述べた実施形態に限定されるものではない。複数の実施の形態を組み合わせてもよい。本発明の主旨をそこなわない範囲で変更することが可能である。
【符号の説明】
【００８６】
１、１ａ  ハウジング
１０  パネル
１００、１００ａ  イオン発生装置
１１  モータ固定部
１２  イオン発生器
１３  イオン発生器移動手段
１４  イオンセンサ
１５  照明装置
１６  蓋ロック手段
１７  表示手段
１８  操作パネル
２    吸込口
２１、２２        イオン発生部
２１ａ、２２ａ    放電電極
２１ｂ、２２ｂ    誘電電極環
２３  ケース蓋
２４  ケーシング
２ａ  塵除去フィルタ
３    通風経路
３０、３０ａ      コントローラ
３１、３１ａ      制御部
３２  計時装置
４    放出口
５    蓋
６    蓋検出センサ
７    送風機
８    ファン
９    ファンモータ
【図１】
2012114042.tif 000003
【図２】
2012114042.tif 000004
【図３】
2012114042.tif 000005
【図４】
2012114042.tif 000006
【図５】
2012114042.tif 000007
【図６】
2012114042.tif 000008
【図７】
2012114042.tif 000009